(57)【要約】【課題】少ない部材で換気孔部が複雑な構成にはならず、取付が容易で目立たず意匠性がよい換気装置を提供する。【解決手段】建物の窓枠２に設ける換気装置である。窓枠２に建物内外に換気孔１３を有する換気筒１４を形成する。換気筒１４の室外側の換気孔１３近傍に、適宜間隔で取付枠２１を配置させる。取付枠２１に換気孔１３から室外側に所定間隔離れた位置に遮蔽板体２０を設ける。取付枠２１には遮蔽板体２０と平行に通し部材２２を配置する。取付枠２１は、支持元側取付枠２１ａと支持先側取付枠２１ｂとからなる。両枠２１ａ，２１ｂを着脱可能で、支持元側取付枠２１ａは窓枠２側に装着され、他方の支持先側取付枠２１ｂには遮蔽板体２０及び通し部材２２をそれぞれ独立的に装着されている。【選択図】図１
2005098541.tif 000002
【特許請求の範囲】
【請求項１】
建物の窓枠２に設ける換気装置であって、前記窓枠２に建物内外に換気孔１３，４３を有する換気筒１４，４４を形成し、該換気筒の室外側の換気孔近傍に、適宜間隔で取付枠２１，５１を配置させ、該取付枠に、換気孔から室外側に所定間隔離れた位置に遮蔽板体２０，５０を設け、且つ、上記取付枠には上記遮蔽板体と上記換気孔との間に、遮蔽板体と平行に通し部材２２，５２を配置したことを特徴とする換気装置。
【請求項２】
上記遮蔽板体５０は、庇状であることを特徴とする請求項１記載の換気装置。
【請求項３】
上記取付枠２１は、支持元側取付枠２１ａと支持先側取付枠２１ｂとからなり、これら両枠２１ａ，２１ｂを互いに着脱可能とすると共に、一方の支持元側取付枠は窓枠側に装着され、他方の支持先側取付枠には上記遮蔽板体及び上記通し部材がそれぞれ独立的に着脱可能に装着されることを特徴とする請求項１記載の換気装置。
【請求項４】
上記換気筒１４，４４には、換気筒１４，４４を流れる換気流に伴う風圧に応じて移動して換気量を自動調整する自動調整部材１６を設けたことを特徴とする請求項１乃至請求項３記載のいずれかの換気装置。
【請求項５】
上記通し部材２２，５２は、スリット形成材、ガラリ、桟、遮蔽体、格子、ルーバー材のいずれかであることを特徴とする請求項１乃至請求項４記載のいずれかの換気装置。
【発明の詳細な説明】
【技術分野】
【０００１】
本発明は、建物外壁の窓に設けられる換気装置に関し、特に、マンション等の窓開口部側部に配置される集合住宅用の換気装置の換気孔外部の遮蔽板体の取付部の構造に特徴を有する建物の換気装置に関する。
【背景技術】
【０００２】
従来、集合住宅内部の換気に当って、集合住宅外壁に形成される開口部窓枠に開閉自在の障子を配置し、この障子を開閉することに加えて、建物外壁の窓に別途換気装置を設ける手段が、下記特許文献１，２に示されている。そして、本出願人は、更に、障子を完全に閉めたまま、室内の換気ができる装置として、特許文献３を提案している。しかしながら、これらの従来技術において、換気装置の室外に設けられる遮蔽材の取付は構造が複雑になることから、改善が要望されていた。
【０００３】
【特許文献１】特開平６−１１１６１号公報
【特許文献２】特開平１０−７２９２１号公報
【特許文献３】特開２００１−２０６３２号公報
【発明の開示】
【発明が解決しようとする課題】
【０００４】
したがって、本発明の課題は、上記要望に対応するものであり、少ない部材で換気装置の取付部が複雑な構成にはならず、且つ、取付が容易で目立たず意匠性がよい換気装置を提供することにある。
【課題を解決するための手段】
【０００５】
上記課題を達成するために、本発明は、以下の手段を講じた。即ち、
請求項１記載の換気装置は、建物の窓枠２に設ける換気装置であって、前記窓枠２に建物内外に換気孔１３，４３を有する換気筒１４，４４を形成し、該換気筒の室外側の換気孔近傍に、適宜間隔で取付枠２１，５１を配置させ、該取付枠に、換気孔から室外側に所定間隔離れた位置に遮蔽板体２０，５０を設け、且つ、上記取付枠には上記遮蔽板体と上記換気孔との間に、遮蔽板体と平行に通し部材２２，５２を配置したことを特徴とする。
【０００６】
請求項２記載の換気装置は、請求項１記載の換気装置において、上記遮蔽板体５０は、庇状であることを特徴とする。
請求項３記載の換気装置は、請求項１記載の換気装置において、上記取付枠２１は、支持元側取付枠２１ａと支持先側取付枠２１ｂとからなり、これら両枠２１ａ，２１ｂを互いに着脱可能とすると共に、一方の支持元側取付枠は窓枠側に装着され、他方の支持先側取付枠には上記遮蔽板体及び上記通し部材がそれぞれ独立的に着脱可能に装着されることを特徴とする。
【０００７】
請求項４記載の換気装置は、請求項１乃至請求項３記載のいずれかの換気装置において、上記換気筒１４，４４には、換気筒１４，４４を流れる換気流に伴う風圧に応じて移動して換気量を自動調整する自動調整部材１６を設けたことを特徴とする。
【０００８】
請求項５記載の換気装置は、請求項１乃至請求項４記載のいずれかの換気装置であって、上記通し部材２２，５２は、スリット形成材、ガラリ、桟、遮蔽体、格子、ルーバー材のいずれかであることを特徴とする。
【発明の効果】
【０００９】
本発明は、上記構成により、遮蔽板体２０により換気孔１３が正面から見えないから、意匠性が良く、また、遮蔽板体２０を支持させる取付枠２１にスリット形成材、ガラリ、桟のいずれかである通し部材２２を支持させたから、取付枠２１を兼用させることができ、部品点数が少なくなって組立作業性が良く、また、遮蔽板体２０、通し部材２２の取付・固定が容易になる。また、遮蔽板体２０を容易に取外すことができるから、換気装置Ｄの保守点検が容易になり、メンテナンス性が良い。
【００１０】
更に、遮蔽板体２０とは所定距離を置いて、通し部材２２を設けたことで、開口部をスリット化することができ、防鳥にも機能する。
【発明を実施するための最良の形態】
【００１１】
以下、本発明の実施例１，２について図面を用いて説明する。
【実施例１】
【００１２】
図１は本発明の実施例１に係る換気装置を具備した窓の正面図、図２は図１のＡ−Ａ断面図、図３は図１のＢ−Ｂ断面図、図４は図２の要部の概略拡大図（図３のＣ−Ｃ断面図）、図５は図４の概略斜視図である。
（全体構成）
図１に示すように、実施例１の換気装置Ｄは、躯体１に形成された窓Ｗに配置される。窓Ｗには窓枠２が形成され、該窓枠２には２枚の障子３が開閉可能に配置されると共に、窓枠２の縦枠に沿った隅部には上下に開口部が形成され、換気装置枠１０が形成される。該換気装置枠１０の室外側には所定距離離して遮蔽板体２０が配置される。即ち、図２及び図３に示すように、窓枠２は、左右の縦枠２ａと上部の上枠２ｃと下部の下枠２ｂからなり、方立てを介して換気装置枠１０が形成される。
【００１３】
（換気筒１４）
図４に示すように、換気装置Ｄは換気装置枠１０内に形成される。換気装置枠１０は、互いに平行で所定の間隔をもって室内外に対向して平行して配置される室外側枠部１１と室内側枠部１２とを具備し、これらの室外側枠部１１及び室内側枠部１２には、上下方向に長く平行状で相対する位置にスリット状の換気孔１３が形成される。そして、この換気孔１３，１３の縁部間に、断面鉢状の案内曲板１４ａ及び案内曲板１４ｂが対称的にビスｂにより取り付けられている。そして、これらの案内曲板１４ａ及び案内曲板１４ｂとから換気筒１４が形成されている。なお、図４には示されてはいないが（図２，３には示されている。）、前記換気筒１４内には、水平に配置された翼案内棒１５に上下に長い通風翼１６が室外からの風により摺動可能に係合されている。この通風翼１６は、強い風が作用した場合には、風量を絞るように作用し、流動する風量が所定範囲になるように設計されている。
【００１４】
（取付枠２１）
図３，４に示すように、室外側枠部１１の換気孔１３の室外側には取付枠２１を介して遮蔽板体２０と通し部材２２が装着される。取付枠２１は所定の上下長さを有し、少なくとも室外側枠部１１の最上部及び最下部の近傍（図３参照）にビスｂにより装着される。取付枠２１は、室外側枠部１１の換気孔１３側に装着される。該取付枠２１は支持元側取付枠２１ａと支持先側取付枠２１ｂとからなり、支持元側取付枠２１ａは、全体としてコ形に形成され、相対する換気孔１３の左右の縁部近傍部分にはビス孔が形成されると共に、両端部には端部係合片２１ｄが一体に形成され、該端部係合片２１ｄの溝には端部係止片２１ｅ（後述）が嵌合され、適宜手段で固定又は抜止め防止手段が施される。
【００１５】
また、支持先側取付枠２１ｂは、全体としてエ字形で、支持元側取付枠２１ａ側の部分の両端部には直角に折り曲げられた状態で端部係止片２１ｅが一体に形成される。そして、端部係合片２１ｄの溝に端部係止片２１ｅを嵌合することで一体的に装着される。また、支持元側取付枠２１ａ側の部分の両端部近傍には上下に長い通し部材２２がビス等により固定される。前記通し部材２２は、スリット形成材、ガラリ、桟、遮蔽体、格子、ルーバー材のいずれかであってもよく、実施例では、角パイプ状のものが採用されている。
また、室外側部分を構成する遮蔽板体受片２１ｆの両端部には、遮蔽板係止部２１ｇが十手状に形成されると共に、ビス孔が穿設され、遮蔽板体２０がビスにより装着される。なお、通し部材２２は、角パイプ形状のものを採用することで、上記ビス頭やそのネジ部見えなくすることもできる。
【００１６】
（遮蔽板体２０）
前記遮蔽板体２０は、図３及び図４に示すように、上下に長い概略長方形状の板体からなり、左右縁が湾曲して形成されている。遮蔽板体２０の内側の左右には、Ｌ形の係止片２０ａが一体に形成されており、取付枠２１側の遮蔽板係止部２１ｇに着脱可能に装着される。なお、遮蔽板体２０は、遮蔽機能ばかりでなく、雨切り機能も有している。また、遮蔽板体２０は、軽量化するために、中空の平板状角パイプであってもよい。また、遮蔽板体２０の上端部と換気装置枠１０との間には風雨除けのキャップ２３が設けられている。
【００１７】
（室内開閉枠３０）
図４に示すように、上記換気筒１４における室内側の換気孔１３の近傍の室内側枠部の一側には、室内開閉枠３０が水平方向に回転可能に軸着される。即ち、室内側枠部１２の室内側面には、開閉枠支持軸部３１と、換気孔１３を挟んで開閉枠保持具１７が設けられており、該開閉枠支持軸部３１には、室内開閉枠３０が開閉可能に軸着され、開閉枠保持具１７によって、閉止状態が保持されるように設けられている。なお、室内開閉枠３０の室内側枠部１２への当接部分にはシール部３３が形成されていると共に、換気孔１３の室内側開口部には網支持部１８ａを介して網１８が着脱可能に付設されている。また、室内開閉枠３０における開閉枠支持軸部３１の反対側には取手３２が設けられている。
【００１８】
（作用）
実施例１は、上記構成により、図４に示すように、遮蔽板体２０は、窓枠２の室外側に取付枠２１により装着される。取付枠２１は、支持元側取付枠２１ａと支持先側取付枠２１ｂとが嵌合により一体とされた状態に形成され、室外側の換気孔１３の前部に複数箇所（図３では上下端部に２カ所示されている。）にわたってビス止めされている。また、支持先側取付枠２１ｂの両端部には通し部材２２が装着され、また、遮蔽板体受片２１ｆの両端部の遮蔽板係止部２１ｇには遮蔽板体２０が係止片２０ａを介して係止・ビス止めされている。また、室内側枠部１２の内側（室内側）においては、室内開閉枠３０が開閉枠支持軸部３１を介して開閉可能に配置されている。
したがって、室外側においては、遮蔽板体２０により、換気孔１３への風雨の直接的な吹込みを無くし、又、遮蔽板体２０、通し部材２２の取付・交換が容易となり、且つ、意匠性がよい換気装置とすることができる。また、室内側においては、換気筒１４を介して吹き込む風を室内開閉枠３０の開閉により適宜調節できる。
【実施例２】
【００１９】
次に、本発明の実施例２について説明する。実施例２は、換気装置Ｄを例えば、窓枠２の上枠２ｃに、水平に長く配置させる場合に好適な実施例である。
（全体構成）
図６に示すように、換気装置Ｄは、躯体１に形成された窓Ｗを構成する窓枠２の上枠２ｃに配置される。窓枠２の上部には左右に水平に開口部（換気孔４３）が形成され、換気装置枠４０が形成される。そして、該換気装置枠４０の室外側には取付枠５１を介して遮蔽板体５０及び通し部材５２が配置される。
【００２０】
（換気筒４４）
図６に示すように、換気装置Ｄは換気装置枠４０に形成される。換気装置枠４０は互いに平行で所定の間隔をもって配置される室外側枠部４１と室内側枠部４２とを具備し、これらの室外側枠部４１及び室内側枠部４２には、水平方向に平行状で相対する位置にスリット状の換気孔４３が形成される。そして、この換気孔４３の縁部間に、断面鉢状の案内曲板４４ａ及び案内曲板４４ｂが対称的に上下の横枠に一体に取り付けられている。そして、これらの案内曲板４４ａ及び案内曲板４４ｂとが換気筒４４を形成している。なお、図６には示されてはいないが、前記換気筒４４内には、実施例１と同様に、水平に配置された翼案内棒に左右に長い通風翼が室内外からの風により摺動可能に係合されている。この通風翼は、強い風が作用した場合には、風量を絞るように作用するものである。
【００２１】
（取付枠５１）
図６に示すように、室外側枠部４１の換気孔４３近傍の室外側には取付枠５１を介して庇状の遮蔽板体５０と通し部材５２が装着される。なお、該遮蔽板体５０の側部には側板５０ａが一体に形成されている。また、上記取付枠５１は所定の水平長さを有し、少なくとも室外側枠部４１の換気孔４３の左右端部近くにビスｂにより装着される。取付枠５１は、全体としてはＬ形でその上部に折曲り部５１ａを具備し、その下部は水平状態に折り曲げられて、その中途部には２つの通し部材保持部５１ｂが形成され、更にその外側端部には遮蔽板体５０に装着するためのビス孔が形成されている。そのために、ビス向きによって、ビス頭は見えにくくすることができ、また、通し部材保持部５１ｂにより、通し部材５２の取り付けが容易になり、安定させることができる。また、ビスを外すことで遮蔽板体５０を外すことができるから、換気装置Ｄの内部点検が容易となる。
【００２２】
（室内上開閉枠６０）
図６に示すように、実施例２においても、実施例１の場合の室内開閉枠３０と同様の室内上開閉枠６０が設けられている。即ち、上記換気筒４４における室内側の換気孔４３の近傍の室内側枠部４２の一側には、室内上開閉枠６０が上下方向に回転可能に軸着される。即ち、室内側枠部４２の室内側面には、開閉枠支持軸部６１と、換気孔４３を挟んで開閉枠保持具４７が設けられており、また、開閉枠支持軸部６１には、室内上開閉枠６０が上下に開閉可能に軸着され、開閉枠保持具４７によって、閉止状態が保持されるように設けられている。また、室内上開閉枠６０の室内側枠部４２への当接部分にはシール部６３が形成されていると共に、換気孔４３の室内側開口部には網支持部４８ａを介して網４８が着脱可能に付設されている。また、室内上開閉枠６０における開閉枠支持軸部６１の反対側には取手６２が設けられている。
【００２３】
（作用）
実施例２は、上記構成により、図６に示すように、遮蔽板体５０は、室外側枠部４１の外側（室外側）において、水平方向において複数箇所をビスｂにより取り付けられる取付枠５１を介して装着される。また、取付枠５１の通し部材保持部５１ｂにより保持される通し部材５２により、空気の流入口は、スリット状の長孔となる。
したがって、室外側においては、遮蔽板体５０及び通し部材５２は、少ない部材で、取付が容易となり、意匠性がよい換気装置とすることができる。
【産業上の利用可能性】
【００２４】
本発明の実施例は、窓Ｗに換気装置を付加的に設けた場合について説明したが、窓Ｗとは関係なく、独立的な換気装置として、適用してよいことはいうまでもない。
【図面の簡単な説明】
【００２５】
【図１】本発明の実施例１に係る換気装置を具備した窓の正面図。
【図２】図１のＡ−Ａ断面図。
【図３】図１のＢ−Ｂ断面図。
【図４】図２の要部の概略拡大図。
【図５】図４の概略斜視図。
【図６】本発明に係る換気装置の実施例２に係る換気装置を概略縦断面図。
【図７】図６の概略斜視図。
【符号の説明】
【００２６】
Ｗ・・窓    Ｄ・・換気装置  ｂ・・ビス  １・・躯体
２・・窓枠  ２ａ・・縦枠  ２ｂ・・下枠  ２ｃ・・上枠  ３・・障子  
１０・・換気装置枠    １１・・室外側枠部  １２・・室内側枠部
１３・・換気孔        １４・・換気筒      １４ａ，１４ｂ・・案内曲板
１５・・翼案内棒      １６・・通風翼（自動調整部材）
１７・・開閉枠保持具  １８・・網          １８ａ・・網支持部
２０・・遮蔽板体      ２０ａ・・係止片
２１・・取付枠        ２１ａ・・支持元側取付枠  ２１ｂ・・支持先側取付枠
２１ｄ・・端部係合片  ２１ｅ・・端部係止片      ２１ｆ・・遮蔽板体受片
２１ｇ・・遮蔽板体係止部  ２２・・通し部材      ２３・・キャップ
【００２７】
３０・・室内開閉枠  ３１・・開閉枠支持軸部    ３２・・取手
３３・・シール部
４０・・換気装置枠  ４１・・室外側枠部  ４２・・室内側枠部
４３・・換気孔      ４４・・換気筒      ４４ａ，４４ｂ・・案内曲板
４７・・開閉枠保持具  ４８・・網        ４８ａ・・網支持部
５０・・遮蔽板体      ５０ａ・・側板    ５１・・取付枠  
５１ａ・・折曲り部    ５１ｂ・・通し部材保持部    ５２・・通し部材
６０・・室内上開閉枠  ６１・・開閉枠支持軸部      ６２・・取手
６３・・  シール部
【図１】
2005098541.tif 000003
【図２】
2005098541.tif 000004
【図３】
2005098541.tif 000005
【図４】
2005098541.tif 000006
【図５】
2005098541.tif 000007
【図６】
2005098541.tif 000008
【図７】
2005098541.tif 000009
【手続補正書】
【提出日】平成15年9月24日(2003.9.24)
【手続補正１】
【補正対象書類名】図面
【補正対象項目名】図３
【補正方法】変更
【補正の内容】
【図３】
2005098541.tif 000010